(57)【特許請求の範囲】
【請求項１】
原稿の画像の出力モードの設定または表示の態様の設定を受け付ける設定受付手段と、
複数枚の原稿の原稿画像を順次読み取る画像読取手段と、
前記画像読取手段にて前記複数枚の原稿の原稿画像の全ての読み取りを完了する前に、前記画像読取手段にて読み取りを完了した原稿画像についてのプレビュー画像を表示部にプレビュー表示するリアルタイムプレビュー表示を行い、かつ前記画像読取手段にて読み取りを完了した原稿画像を前記表示部の一画面に１枚ずつ読み取り順にプレビュー表示する第１のプレビュー表示手段と、
前記リアルタイムプレビュー表示を行い、かつ前記画像読取手段にて読み取りを完了した原稿画像を前記表示部の一画面に複数枚ずつプレビュー表示する第２のプレビュー表示手段と、
前記設定受付手段にて受け付けた出力モードの設定または表示の態様の設定に基づいて、前記第１のプレビュー表示手段によるプレビュー表示と、前記第２のプレビュー表示手段によるプレビュー表示との間でプレビュー表示の態様を決定する表示態様決定手段と、
前記第１または前記第２のプレビュー表示手段にてプレビュー表示した画像のデータを保存する指示を受け付ける保存指示受付手段と、
前記保存指示受付手段にて指示を受け付けた場合に、前記第１および前記第２のプレビュー表示手段のいずれによって画像がプレビュー表示されたかに関する情報を、画像のデータとともに保存する保存手段と、
前記保存手段にて保存されたデータの画像をプレビューする場合に、前記保存手段にて保存された情報に基づいて、前記保存手段にて保存されたデータの画像を、前記表示部の一画面に１枚ずつ読み取り順にプレビュー表示するか、複数枚で前記表示部の一画面にプレビュー表示するかを決定するプレビュー表示決定手段とを備えた、画像読取装置。
【請求項２】
片面出力モードの設定を前記設定受付手段にて受け付けた場合、前記表示態様決定手段は、前記第１のプレビュー表示手段によるプレビュー表示を行うことを決定する、請求項１に記載の画像読取装置。
【請求項３】
両面出力モードの設定を前記設定受付手段にて受け付けた場合、前記表示態様決定手段は、前記第２のプレビュー表示手段によるプレビュー表示を行うことを決定する、請求項１または２に記載の画像読取装置。
【請求項４】
パンチ設定、ステープル設定、折り設定、および綴じしろ設定の少なくともいずれかの後処理モードの設定を前記設定受付手段にて受け付けた場合、前記表示態様決定手段は、前記第２のプレビュー表示手段によるプレビュー表示を行うことを決定する、請求項１〜３のいずれかに記載の画像読取装置。
【請求項５】
パンチ設定を前記設定受付手段にて受け付けた場合、前記表示態様決定手段は、前記第２のプレビュー表示手段によるプレビュー表示を行うことを決定し、
前記第２のプレビュー表示手段は、プレビュー表示する複数枚の原稿の原稿画像のそれぞれに対してパンチ位置を表示する、請求項１〜４のいずれかに記載の画像読取装置。
【請求項６】
ステープル設定を前記設定受付手段にて受け付けた場合、前記表示態様決定手段は、前記第２のプレビュー表示手段によるプレビュー表示を行うことを決定し、
前記第２のプレビュー表示手段は、プレビュー表示する複数枚の原稿の原稿画像のそれぞれに対してステープル位置を表示する、請求項１〜５のいずれかに記載の画像読取装置。
【請求項７】
折り設定を前記設定受付手段にて受け付けた場合、前記表示態様決定手段は、前記第２のプレビュー表示手段によるプレビュー表示を行うことを決定し、
前記第２のプレビュー表示手段は、プレビュー表示する複数枚の原稿の原稿画像のそれぞれに対して折り位置を表示する、請求項１〜６のいずれかに記載の画像読取装置。
【請求項８】
綴じしろ設定を前記設定受付手段にて受け付けた場合、前記表示態様決定手段は、前記第２のプレビュー表示手段によるプレビュー表示を行うことを決定し、
前記第２のプレビュー表示手段は、プレビュー表示する複数枚の原稿の原稿画像のそれぞれに対して綴じしろ位置を表示する、請求項１〜７のいずれかに記載の画像読取装置。
【請求項９】
両面出力モードと後処理モードとの両方の設定を前記設定受付手段にて受け付けた場合、前記表示態様決定手段は、前記第２のプレビュー表示手段によるプレビュー表示を行うことを決定する、請求項１〜８のいずれかに記載の画像読取装置。
【請求項１０】
前記第２のプレビュー表示手段は、
綴じ位置の設定を前記設定受付手段にて受け付けた場合、前記設定受付手段にて受け付けた綴じ位置に応じて、プレビュー表示する複数枚の原稿の原稿画像の流れ方向を決定する流れ方向決定手段と、
プレビュー表示する複数枚の原稿の原稿画像うち１つの原稿画像を他の原稿画像よりも大きく表示し、かつ前記流れ方向決定手段にて決定した流れ方向に従って大きく表示する画像を切り替える画像切替手段とを含む、請求項１〜９のいずれかに記載の画像読取装置。
【請求項１１】
左綴じの設定を前記設定受付手段にて受け付けた場合、前記流れ方向決定手段は、プレビュー表示する複数枚の原稿の原稿画像の流れ方向を右から左へ向かう方向に決定する、請求項１０に記載の画像読取装置。
【請求項１２】
右綴じの設定を前記設定受付手段にて受け付けた場合、前記流れ方向決定手段は、プレビュー表示する複数枚の原稿の原稿画像の流れ方向を左から右へ向かう方向に決定する、請求項１０または１１に記載の画像読取装置。
【請求項１３】
上綴じの設定を前記設定受付手段にて受け付けた場合、前記流れ方向決定手段は、プレビュー表示する複数枚の原稿の原稿画像の流れ方向を下から上へ向かう方向に決定する、請求項１０〜１２のいずれかに記載の画像読取装置。
【請求項１４】
前記第２のプレビュー表示手段は、プレビュー表示する複数枚の原稿の原稿画像のうち１つの原稿画像を他の原稿画像よりも大きくプレビュー表示し、かつ拡大して表示する原稿画像を原稿画像の読み取り順に切り替える、請求項１〜１３のいずれかに記載の画像読取装置。
【請求項１５】
原稿の画像の出力モードの設定または表示の態様の設定を受け付ける設定受付ステップと、
複数枚の原稿の原稿画像を順次読み取る画像読取ステップと、
前記画像読取ステップにて前記複数枚の原稿の原稿画像の全ての読み取りを完了する前に、前記画像読取ステップにて読み取りを完了した原稿画像についてのプレビュー画像を表示部にプレビュー表示するリアルタイムプレビュー表示を行い、かつ前記画像読取ステップにて読み取りを完了した原稿画像を前記表示部の一画面に１枚ずつ読み取り順にプレビュー表示する第１のプレビュー表示ステップと、
前記リアルタイムプレビュー表示を行い、かつ前記画像読取ステップにて読み取りを完了した原稿画像を前記表示部の一画面に複数枚ずつプレビュー表示する第２のプレビュー表示ステップと、
前記設定受付ステップにて受け付けた出力モードの設定または表示の態様の設定に基づいて、前記第１のプレビュー表示ステップによるプレビュー表示と、前記第２のプレビュー表示ステップによるプレビュー表示との間でプレビュー表示の態様を決定する表示態様決定ステップと、
前記第１または前記第２のプレビュー表示ステップにてプレビュー表示した画像のデータを保存する指示を受け付ける保存指示受付ステップと、
前記保存指示受付ステップにて指示を受け付けた場合に、前記第１および前記第２のプレビュー表示ステップのいずれにおいて画像がプレビュー表示されたかに関する情報を、画像のデータとともに保存する保存ステップと、
前記保存ステップにて保存されたデータの画像をプレビューする場合に、前記保存ステップにて保存された情報に基づいて、前記保存ステップにて保存されたデータの画像を、前記表示部の一画面に１枚ずつ読み取り順にプレビュー表示するか、複数枚で前記表示部の一画面にプレビュー表示するかを決定するプレビュー表示決定ステップとを備えた、画像読取装置の制御方法。
【請求項１６】
片面出力モードの設定を前記設定受付ステップにて受け付けた場合、前記表示態様決定ステップにおいて、前記第１のプレビュー表示ステップにてプレビュー表示を行うことを決定する、請求項１５に記載の画像読取装置の制御方法。
【請求項１７】
両面出力モードの設定を前記設定受付ステップにて受け付けた場合、前記表示態様決定ステップにおいて、前記第２のプレビュー表示ステップにてプレビュー表示を行うことを決定する、請求項１５または１６に記載の画像読取装置の制御方法。
【請求項１８】
パンチ設定、ステープル設定、折り設定、および綴じしろ設定の少なくともいずれかの後処理モードの設定を前記設定受付ステップにて受け付けた場合、前記表示態様決定ステップにおいて、前記第２のプレビュー表示ステップにてプレビュー表示を行うことを決定する、請求項１５〜１７のいずれかに記載の画像読取装置の制御方法。
【請求項１９】
パンチ設定を前記設定受付ステップにて受け付けた場合、前記表示態様決定ステップにおいて、前記第２のプレビュー表示ステップにてプレビュー表示を行うことを決定し、
前記第２のプレビュー表示ステップにおいて、プレビュー表示する複数枚の原稿の原稿画像のそれぞれに対してパンチ位置を表示する、請求項１５〜１８のいずれかに記載の画像読取装置の制御方法。
【請求項２０】
ステープル設定を前記設定受付ステップにて受け付けた場合、前記表示態様決定ステップにおいて、前記第２のプレビュー表示ステップにてプレビュー表示を行うことを決定し、
前記第２のプレビュー表示ステップにおいて、プレビュー表示する複数枚の原稿の原稿画像のそれぞれに対してステープル位置を表示する、請求項１５〜１９のいずれかに記載の画像読取装置の制御方法。
【請求項２１】
折り設定を前記設定受付ステップにて受け付けた場合、前記表示態様決定ステップにおいて、前記第２のプレビュー表示ステップにてプレビュー表示を行うことを決定し、
前記第２のプレビュー表示ステップにおいて、プレビュー表示する複数枚の原稿の原稿画像のそれぞれに対して折り位置を表示する、請求項１５〜２０のいずれかに記載の画像読取装置の制御方法。
【請求項２２】
綴じしろ設定を前記設定受付ステップにて受け付けた場合、前記表示態様決定ステップにおいて、前記第２のプレビュー表示ステップにてプレビュー表示を行うことを決定し、
前記第２のプレビュー表示ステップにおいて、プレビュー表示する複数枚の原稿の原稿画像のそれぞれに対して綴じしろ位置を表示する、請求項１５〜２１のいずれかに記載の画像読取装置の制御方法。
【請求項２３】
両面出力モードと後処理モードとの両方の設定を前記設定受付ステップにて受け付けた場合、前記表示態様決定ステップにおいて、前記第２のプレビュー表示ステップにてプレビュー表示を行うことを決定する、請求項１５〜２２のいずれかに記載の画像読取装置の制御方法。
【請求項２４】
前記第２のプレビュー表示ステップは、
綴じ位置の設定を前記設定受付ステップにて受け付けた場合、前記設定受付ステップにて受け付けた綴じ位置に応じて、プレビュー表示する複数枚の原稿の原稿画像の流れ方向を決定する流れ方向決定ステップと、
プレビュー表示する複数枚の原稿の原稿画像うち１つの原稿画像を他の原稿画像よりも大きく表示し、かつ前記流れ方向決定ステップにて決定した流れ方向に従って大きく表示する画像を切り替える画像切替ステップとを含む、請求項１５〜２３のいずれかに記載の画像読取装置の制御方法。
【請求項２５】
左綴じの設定を前記設定受付ステップにて受け付けた場合、前記流れ方向決定ステップにおいて、プレビュー表示する複数枚の原稿の原稿画像の流れ方向を右から左へ向かう方向に決定する、請求項２４に記載の画像読取装置の制御方法。
【請求項２６】
右綴じの設定を前記設定受付ステップにて受け付けた場合、前記流れ方向決定ステップにおいて、プレビュー表示する複数枚の原稿の原稿画像の流れ方向を左から右へ向かう方向に決定する、請求項２４または２５に記載の画像読取装置の制御方法。
【請求項２７】
上綴じの設定を前記設定受付ステップにて受け付けた場合、前記流れ方向決定ステップにおいて、プレビュー表示する複数枚の原稿の原稿画像の流れ方向を下から上へ向かう方向に決定する、請求項２４〜２６のいずれかに記載の画像読取装置の制御方法。
【請求項２８】
前記第２のプレビュー表示ステップにおいて、プレビュー表示する複数枚の原稿の原稿画像のうち１つの原稿画像を他の原稿画像よりも大きくプレビュー表示し、かつ拡大して表示する原稿画像を原稿画像の読み取り順に切り替える、請求項１５〜２７のいずれかに記載の画像読取装置の制御方法。
【請求項２９】
請求項１５〜２８のいずれかに記載の制御方法をコンピュータに実行させるための、画像読取装置の制御プログラム。
【発明の詳細な説明】
【技術分野】
【０００１】
本発明は、画像読取装置、画像読取装置の制御方法、および画像読取装置の制御プログラムに関し、より特定的には、リアルタイムプレビュー表示を行う画像読取装置、画像読取装置の制御方法、および画像読取装置の制御プログラムに関する。
【背景技術】
【０００２】
電子写真式の画像形成装置には、スキャナー機能、ファクシミリ機能、複写機能、プリンターとしての機能、データ通信機能、およびサーバ機能を備えたＭＦＰ（Ｍｕｌｔｉ  Ｆｕｎｃｔｉｏｎ  Ｐｅｒｉｐｈｅｒａｌ）、ファクシミリ装置、複写機、プリンターなどがある。
【０００３】
近年、画像形成装置は、画像読取装置を備えるスキャナー、複写機、プリンター、ファクシミリ、またはデジタル複合機などとして、オフィスや家庭などに急速に普及している。画像読取装置の中には、複数の原稿を一枚ずつ画像読取部に供給する自動原稿送り装置（ＡＤＦ：Ａｕｔｏ  Ｄｏｃｕｍｅｎｔ  Ｆｅｅｄｅｒ）と、原稿の表面および裏面の画像を読み取る画像読取部（イメージセンサ）とを含むものがある。この画像読取装置によれば、複数枚からなる原稿を順に自動で画像読取部へ供給し、原稿の表面および裏面の原稿を同時に読み取ることができる。
【０００４】
上記のような画像読取装置の中には、リアルタイムプレビュー機能を有するものがある。リアルタイムプレビュー機能は、複数のページよりなる原稿を読み込む場合に、原稿の全ページの読み込みを完了する前に、読み込みを完了したページの画像のプレビュー表示を自動的に開始する機能である。リアルタイムプレビュー機能が設定された場合、読み込んだページ順で各ページの画像が画像読取装置の操作パネルにプレビュー表示される。リアルタイムプレビュー機能を有効にしてプレビュー表示を行った場合（リアルタイムプレビュー表示を行った場合）、原稿の読み込み完了したページから読み込み順にプレビュー表示されるため、ユーザーは原稿の誤りをいち早く確認することができる。
【０００５】
プレビュー表示に関する技術は、たとえば下記特許文献１または２に開示されている。下記特許文献１には、両面印刷された文章を閲覧しやすくするために、両面画像をプレビュー表示の際に、表面および裏面の画像を同時に表示し、原稿の用紙向き、綴じ方向、ステープル位置、またはパンチ位置などの付加情報をそれぞれの画像の上に付加する技術が開示されている。
【０００６】
図２０は、特許文献１に開示されたプレビュー表示の態様を示す図である。（ａ）は、「用紙向き＝横」、「綴じ方向＝短辺」、および「読み方向＝左→右」を指定した場合において、表面の左上かつ裏面の右上にステープル位置を設定したときの、プレビュー表示の一例を示す図である。（ｂ）は、「用紙向き＝横」、「綴じ方向＝長辺」、および「読み方向＝左→右」を指定した場合において、表面の左上かつ裏面の左下にステープル位置を設定したときの、プレビュー表示の一例を示す図である。
【０００７】
図２０（ａ）を参照して、表面の画像の右側には、左向きの矢印でめくりマーク５０１が付加されており、裏面の画像の左側には、引っ繰り返しマーク５０２が付加されている。ユーザーは、表面を閲覧しているときに、めくりマーク５０１の位置および矢印の向きを見ることで、ページの右端をめくれば、次ページに読み進むことができることを判断することができる。またユーザーは、裏面を閲覧しているときに、引っ繰り返しマーク５０２の位置を見ることで、文書全体を引っ繰り返せば、次ページに読み進むことができることを判断することができる。
【０００８】
図２０（ｂ）を参照して、表面の画像の下側には、上向きの矢印でめくりマーク５０１が付加されており、裏面の画像の上側には、引っ繰り返しマーク５０２が付加されている。ユーザーは、表面を閲覧しているときに、めくりマーク５０１の位置および矢印の向きを見ることで、ページの下端をめくれば、次ページに読み進むことができることを判断することができる。またユーザーは、裏面を閲覧しているときに、引っ繰り返しマーク５０２の位置を見ることで、文書全体を引っ繰り返せば、次ページに読み進むことができることを判断することができる。下記特許文献１の技術では、表面および裏面の画像にマークや文字情報を付加することで、綴じ方向による表面と裏面との関係を視覚的に確認することができる。
【０００９】
下記特許文献２には、連続的に両面読み取りされた画像データのプレビュー画像については、見開きのページを各種設定の処理対象となるプレビュー画像と、各種設定処理の対象とはならない補助的なプレビュー画像との組にして、少なくとも処理対象となるプレビュー画像を表示し、処理対象となるプレビュー画像と補助的なプレビュー画像とを切り替えながら順にページ送りする技術が開示されている。下記特許文献２の技術によれば、見開きページの仕上がり状態をイメージしやすくすることができる。
【先行技術文献】
【特許文献】
【００１０】
【特許文献１】特開２００６−２６８３１８号公報
【特許文献２】特開２００８−２２６０５０号公報
【発明の概要】
【発明が解決しようとする課題】
【００１１】
従来のリアルタイムプレビュー表示においては、画像読取装置での読み込み順で、原稿の画像が１ページずつ切り替えてられてプレビュー表示される。このため、所望の出力モードを設定した場合に、設定された出力モードによっては、プレビュー表示からは仕上り状態（出力された場合の出力物の状態）がイメージし難いという問題があった。
【００１２】
たとえば、１〜６ページまでの原稿をページ順に画像読取装置にて読み込んだ場合を想定する。リアルタイムプレビュー表示においては、通常、始めに１ページの原稿の読み込みが完了すると１ページの画像がプレビュー表示され、２ページの原稿の読み込みが完了すると２ページの画像がプレビュー表示される。このように１つのページの原稿の読み込みが完了する度に、そのページの画像がプレビュー表示される。このため、たとえば３ページと４ページとが１枚の原稿の表裏に印字されている両面出力原稿や、３ページと４ページとが１つの見開きページを構成している見開きのページの原稿を読み込み、かつ両面出力モードおよびステープルモードが設定された場合には、３ページの画像と４ページの画像とが１つの用紙の表面と裏面とに印字されて出力されるのか、見開きページとして出力されるのかが分かりにくく、仕上がり状態をイメージし難かった。
【００１３】
また、特許文献１および２の技術をリアルタイムプレビュー表示に適用した場合には、以下の問題が生じていた。
【００１４】
特許文献１の技術をリアルタイムプレビュー表示に適用した場合には、プレビュー表示される画像が一定の時間間隔で順次切り替わるため、めくりマーク５０１や引っ繰り返しマーク５０２を瞬時に読み取ることが困難であった。また、全てのページの画像が同一サイズで１枚ずつ表示されるため、注目すべきページの画像がどれなのかを識別できず、現時点で読み込み完了したページをリアルタイムに把握することができなかった。このため、たとえば読み取った画像に対して両面出力モードを設定した場合には、表面と裏面との位置関係を容易に把握することはできなかった。また、たとえば読み取った画像に対して綴じ方向を設定した場合には、見開きページの状態を容易に把握することができなかった。
【００１５】
特許文献２の技術をリアルタイムプレビュー表示に適用した場合には、片面出力モードを設定した場合のように１つのページのみを表示すればよい場合にも、処理対象となるプレビュー画像と補助的なプレビュー画像とがプレビュー表示されるため、プレビュー表示画面には必要でない情報も表示される。このため、必要となる情報を取得するのに時間がかかり、片面出力モードが反映された仕上がり状態を容易に把握することができなかった。
【００１６】
本発明は、上記課題を解決するためのものであり、その目的は、設定した出力モードが反映された仕上がり状態を容易に把握することができる画像読取装置、画像読取装置の制御方法、および画像読取装置の制御プログラムを提供することである。
【課題を解決するための手段】
【００１７】
本発明の一の局面に従う画像読取装置は、原稿の画像の出力モードの設定または表示の態様の設定を受け付ける設定受付手段と、複数枚の原稿の原稿画像を順次読み取る画像読取手段と、画像読取手段にて複数枚の原稿の原稿画像の全ての読み取りを完了する前に、画像読取手段にて読み取りを完了した原稿画像についてのプレビュー画像を表示部にプレビュー表示するリアルタイムプレビュー表示を行い、かつ画像読取手段にて読み取りを完了した原稿画像を表示部の一画面に１枚ずつ読み取り順にプレビュー表示する第１のプレビュー表示手段と、リアルタイムプレビュー表示を行い、かつ画像読取手段にて読み取りを完了した原稿画像を表示部の一画面に複数枚ずつプレビュー表示する第２のプレビュー表示手段と、設定受付手段にて受け付けた出力モードの設定または表示の態様の設定に基づいて、第１のプレビュー表示手段によるプレビュー表示と、第２のプレビュー表示手段によるプレビュー表示との間でプレビュー表示の態様を決定する表示態様決定手段と、第１または第２のプレビュー表示手段にてプレビュー表示した画像のデータを保存する指示を受け付ける保存指示受付手段と、保存指示受付手段にて指示を受け付けた場合に、第１および第２のプレビュー表示手段のいずれによって画像がプレビュー表示されたかに関する情報を、画像のデータとともに保存する保存手段と、保存手段にて保存されたデータの画像をプレビューする場合に、保存手段にて保存された情報に基づいて、保存手段にて保存されたデータの画像を、表示部の一画面に１枚ずつ読み取り順にプレビュー表示するか、複数枚で表示部の一画面にプレビュー表示するかを決定するプレビュー表示決定手段とを備える。
【００１８】
上記画像読取装置において好ましくは、片面出力モードの設定を設定受付手段にて受け付けた場合、表示態様決定手段は、第１のプレビュー表示手段によるプレビュー表示を行うことを決定する。
【００１９】
上記画像読取装置において好ましくは、両面出力モードの設定を設定受付手段にて受け付けた場合、表示態様決定手段は、第２のプレビュー表示手段によるプレビュー表示を行うことを決定する。
【００２０】
上記画像読取装置において好ましくは、パンチ設定、ステープル設定、折り設定、および綴じしろ設定の少なくともいずれかの後処理モードの設定を設定受付手段にて受け付けた場合、表示態様決定手段は、第２のプレビュー表示手段によるプレビュー表示を行うことを決定する。
【００２１】
上記画像読取装置において好ましくは、パンチ設定を設定受付手段にて受け付けた場合、表示態様決定手段は、第２のプレビュー表示手段によるプレビュー表示を行うことを決定し、第２のプレビュー表示手段は、プレビュー表示する複数枚の原稿の原稿画像のそれぞれに対してパンチ位置を表示する。
【００２２】
上記画像読取装置において好ましくは、ステープル設定を設定受付手段にて受け付けた場合、表示態様決定手段は、第２のプレビュー表示手段によるプレビュー表示を行うことを決定し、第２のプレビュー表示手段は、プレビュー表示する複数枚の原稿の原稿画像のそれぞれに対してステープル位置を表示する。
【００２３】
上記画像読取装置において好ましくは、折り設定を設定受付手段にて受け付けた場合、表示態様決定手段は、第２のプレビュー表示手段によるプレビュー表示を行うことを決定し、第２のプレビュー表示手段は、プレビュー表示する複数枚の原稿の原稿画像のそれぞれに対して折り位置を表示する。
【００２４】
上記画像読取装置において好ましくは、綴じしろ設定を設定受付手段にて受け付けた場合、表示態様決定手段は、第２のプレビュー表示手段によるプレビュー表示を行うことを決定し、第２のプレビュー表示手段は、プレビュー表示する複数枚の原稿の原稿画像のそれぞれに対して綴じしろ位置を表示する。
【００２５】
上記画像読取装置において好ましくは、両面出力モードと後処理モードとの両方の設定を設定受付手段にて受け付けた場合、表示態様決定手段は、第２のプレビュー表示手段によるプレビュー表示を行うことを決定する。
【００２６】
上記画像読取装置において好ましくは、第２のプレビュー表示手段は、綴じ位置の設定を設定受付手段にて受け付けた場合、設定受付手段にて受け付けた綴じ位置に応じて、プレビュー表示する複数枚の原稿の原稿画像の流れ方向を決定する流れ方向決定手段と、プレビュー表示する複数枚の原稿の原稿画像うち１つの原稿画像を他の原稿画像よりも大きく表示し、かつ流れ方向決定手段にて決定した流れ方向に従って大きく表示する画像を切り替える画像切替手段とを含む。
【００２７】
上記画像読取装置において好ましくは、左綴じの設定を設定受付手段にて受け付けた場合、流れ方向決定手段は、プレビュー表示する複数枚の原稿の原稿画像の流れ方向を右から左へ向かう方向に決定する。
【００２８】
上記画像読取装置において好ましくは、右綴じの設定を設定受付手段にて受け付けた場合、流れ方向決定手段は、プレビュー表示する複数枚の原稿の原稿画像の流れ方向を左から右へ向かう方向に決定する。
【００２９】
上記画像読取装置において好ましくは、上綴じの設定を設定受付手段にて受け付けた場合、流れ方向決定手段は、プレビュー表示する複数枚の原稿の原稿画像の流れ方向を下から上へ向かう方向に決定する。
【００３１】
上記画像読取装置において好ましくは、第２のプレビュー表示手段は、プレビュー表示する複数枚の原稿の原稿画像のうち１つの原稿画像を他の原稿画像よりも大きくプレビュー表示し、かつ拡大して表示する原稿画像を原稿画像の読み取り順に切り替える。
【００３２】
本発明の他の局面に従う画像読取装置の制御方法は、原稿の画像の出力モードの設定または表示の態様の設定を受け付ける設定受付ステップと、複数枚の原稿の原稿画像を順次読み取る画像読取ステップと、画像読取ステップにて複数枚の原稿の原稿画像の全ての読み取りを完了する前に、画像読取ステップにて読み取りを完了した原稿画像についてのプレビュー画像を表示部にプレビュー表示するリアルタイムプレビュー表示を行い、かつ画像読取ステップにて読み取りを完了した原稿画像を表示部の一画面に１枚ずつ読み取り順にプレビュー表示する第１のプレビュー表示ステップと、リアルタイムプレビュー表示を行い、かつ画像読取ステップにて読み取りを完了した原稿画像を表示部の一画面に複数枚ずつプレビュー表示する第２のプレビュー表示ステップと、設定受付ステップにて受け付けた出力モードの設定または表示の態様の設定に基づいて、第１のプレビュー表示ステップによるプレビュー表示と、第２のプレビュー表示ステップによるプレビュー表示との間でプレビュー表示の態様を決定する表示態様決定ステップと、第１または第２のプレビュー表示ステップにてプレビュー表示した画像のデータを保存する指示を受け付ける保存指示受付ステップと、保存指示受付ステップにて指示を受け付けた場合に、第１および第２のプレビュー表示ステップのいずれにおいて画像がプレビュー表示されたかに関する情報を、画像のデータとともに保存する保存ステップと、保存ステップにて保存されたデータの画像をプレビューする場合に、保存ステップにて保存された情報に基づいて、保存ステップにて保存されたデータの画像を、表示部の一画面に１枚ずつ読み取り順にプレビュー表示するか、複数枚で表示部の一画面にプレビュー表示するかを決定するプレビュー表示決定ステップとを備える。
上記制御方法において好ましくは、片面出力モードの設定を設定受付ステップにて受け付けた場合、表示態様決定ステップにおいて、第１のプレビュー表示ステップにてプレビュー表示を行うことを決定する。
上記制御方法において好ましくは、両面出力モードの設定を設定受付ステップにて受け付けた場合、表示態様決定ステップにおいて、第２のプレビュー表示ステップにてプレビュー表示を行うことを決定する。
上記制御方法において好ましくは、パンチ設定、ステープル設定、折り設定、および綴じしろ設定の少なくともいずれかの後処理モードの設定を設定受付ステップにて受け付けた場合、表示態様決定ステップにおいて、第２のプレビュー表示ステップにてプレビュー表示を行うことを決定する。
上記制御方法において好ましくは、パンチ設定を設定受付ステップにて受け付けた場合、表示態様決定ステップにおいて、第２のプレビュー表示ステップにてプレビュー表示を行うことを決定し、第２のプレビュー表示ステップにおいて、プレビュー表示する複数枚の原稿の原稿画像のそれぞれに対してパンチ位置を表示する。
上記制御方法において好ましくは、ステープル設定を設定受付ステップにて受け付けた場合、表示態様決定ステップにおいて、第２のプレビュー表示ステップにてプレビュー表示を行うことを決定し、第２のプレビュー表示ステップにおいて、プレビュー表示する複数枚の原稿の原稿画像のそれぞれに対してステープル位置を表示する。
上記制御方法において好ましくは、折り設定を設定受付ステップにて受け付けた場合、表示態様決定ステップにおいて、第２のプレビュー表示ステップにてプレビュー表示を行うことを決定し、第２のプレビュー表示ステップにおいて、プレビュー表示する複数枚の原稿の原稿画像のそれぞれに対して折り位置を表示する。
上記制御方法において好ましくは、綴じしろ設定を設定受付ステップにて受け付けた場合、表示態様決定ステップにおいて、第２のプレビュー表示ステップにてプレビュー表示を行うことを決定し、第２のプレビュー表示ステップにおいて、プレビュー表示する複数枚の原稿の原稿画像のそれぞれに対して綴じしろ位置を表示する。
上記制御方法において好ましくは、両面出力モードと後処理モードとの両方の設定を設定受付ステップにて受け付けた場合、表示態様決定ステップにおいて、第２のプレビュー表示ステップにてプレビュー表示を行うことを決定する。
上記制御方法において好ましくは、第２のプレビュー表示ステップは、綴じ位置の設定を設定受付ステップにて受け付けた場合、設定受付ステップにて受け付けた綴じ位置に応じて、プレビュー表示する複数枚の原稿の原稿画像の流れ方向を決定する流れ方向決定ステップと、プレビュー表示する複数枚の原稿の原稿画像うち１つの原稿画像を他の原稿画像よりも大きく表示し、かつ流れ方向決定ステップにて決定した流れ方向に従って大きく表示する画像を切り替える画像切替ステップとを含む。
上記制御方法において好ましくは、左綴じの設定を設定受付ステップにて受け付けた場合、流れ方向決定ステップにおいて、プレビュー表示する複数枚の原稿の原稿画像の流れ方向を右から左へ向かう方向に決定する。
上記制御方法において好ましくは、右綴じの設定を設定受付ステップにて受け付けた場合、流れ方向決定ステップにおいて、プレビュー表示する複数枚の原稿の原稿画像の流れ方向を左から右へ向かう方向に決定する。
上記制御方法において好ましくは、上綴じの設定を設定受付ステップにて受け付けた場合、流れ方向決定ステップにおいて、プレビュー表示する複数枚の原稿の原稿画像の流れ方向を下から上へ向かう方向に決定する。
上記制御方法において好ましくは、第２のプレビュー表示ステップにおいて、プレビュー表示する複数枚の原稿の原稿画像のうち１つの原稿画像を他の原稿画像よりも大きくプレビュー表示し、かつ拡大して表示する原稿画像を原稿画像の読み取り順に切り替える。
本発明のさらに他の局面に従う画像読取装置の制御プログラムは、上述のいずれかの制御方法をコンピュータに実行させるためのものである。
【発明の効果】
【００３４】
本発明によれば、設定した出力モードが反映された仕上がり状態を容易に把握することができる画像読取装置、画像読取装置の制御方法、および画像読取装置の制御プログラムを提供することができる。
【図面の簡単な説明】
【００３５】
【図１】本発明の第１の実施の形態におけるＭＦＰ１の概観を示す図である。
【図２】ＭＦＰ１の構成を示すブロック図である。
【図３】操作パネル２の概観を示す図である。
【図４】操作パネル２の回路構成を示すブロック図である。
【図５】コピージョブが選択された場合の操作パネル２に表示される画面を模式的に示す図である。
【図６】操作パネル２が行う第１のプレビュー表示の態様を模式的に示す図である。
【図７】操作パネル２が行う第２のプレビュー表示の態様を模式的に示す図である。
【図８】本発明の第１の実施の形態における操作パネル２の動作を示すフローチャートである。
【図９】左綴じのパンチ設定が有効である場合に操作パネル２が行う第２のプレビュー表示の態様を模式的に示す図である。
【図１０】左上綴じのステープル設定が有効である場合に操作パネル２が行う第２のプレビュー表示の態様を模式的に示す図である。
【図１１】折り設定が有効である場合に操作パネル２が行う第２のプレビュー表示の態様を模式的に示す図である。
【図１２】綴じしろ設定が有効である場合に操作パネル２が行う第２のプレビュー表示の態様を模式的に示す図である。
【図１３】本発明の第２の実施の形態における操作パネル２の動作を示すフローチャートである。
【図１４】右綴じのパンチ設定が有効である場合に操作パネル２が行う第２のプレビュー表示の態様を模式的に示す図である。
【図１５】上綴じのパンチ設定が有効である場合に操作パネル２が行う第２のプレビュー表示の態様を模式的に示す図である。
【図１６】本発明の第３の実施の形態における操作パネル２の動作を示すフローチャートである。
【図１７】本発明の第４の実施の形態におけるＨＤＤ１５５への保存時の操作パネル２の動作を示すフローチャートである。
【図１８】本発明の第４の実施の形態におけるＨＤＤ１５５からの読み出し時の操作パネル２の動作を示すフローチャートである。
【図１９】本発明の変形例における操作パネル２の動作を示すフローチャートである。
【図２０】特許文献１に開示されたプレビュー表示の態様を示す図である。
【発明を実施するための形態】
【００３６】
以下、本発明の実施の形態について、図面に基づいて説明する。
【００３７】
以下の実施の形態においては、画像読取装置が画像形成装置である場合について説明する。画像形成装置は、電子写真方式や静電記録方式などによって画像形成を行うものであり、スキャナー機能、ファクシミリ機能、複写機能、プリンターとしての機能、データ通信機能、およびサーバ機能を備えたＭＦＰや、ファクシミリ装置、複写機、プリンターなどを含む。画像読取装置は、原稿の画像を読み取り可能なものであればよく、画像形成装置の他、スキャナーなどであってもよい。
【００３８】
［第１の実施の形態］
始めに、本実施の形態におけるＭＦＰの構成について説明する。
【００３９】
図１は、本発明の第１の実施の形態におけるＭＦＰ１の概観を示す図である。
【００４０】
図１を参照して、本実施の形態における画像読取装置としてのＭＦＰ１（ディジタルフルカラーＭＦＰ）は、操作パネル（操作部）２と、自動原稿送り装置を含む画像読取部１３３と、画像処理部１３５と、画像形成部１３７と、給紙部９１と、排紙トレイ９３とを備えている。
【００４１】
操作パネル２は、たとえばＭＦＰ１の前面に設けられている。操作パネル２は、ユーザーからＭＦＰ１の操作を受け付けたり、プレビュー表示を含む各種情報の表示をユーザーに対して行ったりする。
【００４２】
ＭＦＰ１が複写機として使用される場合やスキャナーとして使用される場合などには、ユーザーによって画像読取部１３３の給紙トレイ１３３ａにセットされた原稿が、画像読取部１３３で読み取られる。画像処理部１３５は、画像読取部１３３で読み取った画像データなどを処理する。画像形成部１３７は、給紙部９１から給紙された用紙に対して、画像処理部１３５で処理された画像データに基づいて画像を形成する。画像が形成された用紙は、必要に応じて後処理が施され、排紙トレイ９３へ排出される。
【００４３】
図２は、ＭＦＰ１の構成を示すブロック図である。
【００４４】
図２を参照して、ＭＦＰ１は、ＭＦＰ本体システム制御部（ＣＰＵ）１３１と、画像読取部１３３と、画像処理部１３５と、画像形成部１３７と、画像出力部１３９と、ファクシミリ制御部１４１と、ネットワーク接続部１４３と、ＲＯＭ（Ｒｅａｄ  Ｏｎｌｙ  Ｍｅｍｏｒｙ）１５１と、ＲＡＭ（Ｒａｎｄｏｍ  Ａｃｃｅｓｓ  Ｍｅｍｏｒｙ）１５３と、ＨＤＤ（Ｈａｒｄ  Ｄｉｓｋ  Ｄｒｉｖｅ）１５５と、後処理部１５７とを備えている。
【００４５】
画像読取部１３３は原稿の画像を読み取る。画像処理部１３５は画像データに対して処理を行なう。画像形成部１３７は画像処理部１３５にて処理された画像データに基づいて用紙などに画像を形成する。画像出力部１３９は画像データなどの出力処理を制御する。ファクシミリ制御部１４１は通信回線を通して画像データを送信する。ネットワーク接続部１４３はＭＦＰ１と外部機器（図示無し）との接続を制御する。ＲＯＭ１５１は、ＭＦＰ１の制御プログラムなどを保存する。ＲＡＭ１５３は、画像読取部１３３にて読み取った画像などのデータを一時的に記憶する。ＨＤＤ１５５は、各種データを保存し、データの書き換えが可能である。後処理部１５７は、画像形成部１３７で画像を形成した後の用紙に対して、パンチ処理、ステープル処理、または折り処理などの後処理を施す。
【００４６】
ＭＦＰ本体システム制御部１３１を中心に、各モジュールが通信および制御信号に基づいて制御される。ＭＦＰ本体システム制御部１３１は、画像読取部１３３、画像処理部１３５、画像形成部１３７、画像出力部１３９、ファクシミリ制御部１４１、ネットワーク接続部１４３、ＲＯＭ１５１、ＲＡＭ１５３、ＨＤＤ１５５、および後処理部１５７の各々と、通信または信号の送受信を実施することで、ＭＦＰ１全体を制御する。
【００４７】
図３は、操作パネル２の概観を示す図である。なお以降の図では、説明の便宜のため、原稿の各ページおよびそれらのプレビュー画像にはページ番号が付されている。図３では原稿の３ページの画像がプレビュー表示されている状態を示している。
【００４８】
図３を参照して、操作パネル２は、各種設定項目やメッセージなどを表示し、かつユーザーから各種設定を受け付けるＬＣＤパネル部（タッチパネル）１１と、リアルタイムプレビュー機能を設定する際に押下されるプレビューキー１３と、各機能のジョブの実行を受け付けるスタートキー１５と、ボックス保存、ファクシミリ／スキャン、およびコピーなどの中からジョブの種類を選択するジョブ選択キー１７などを含んでいる。ユーザー（操作者）はＬＣＤパネル部１１を通じて、コピー開始の指示やコピー枚数の設定や、プリントモードの指定などのキー入力を行う。またＬＣＤパネル部１１は、液晶表示板などで構成されており、ユーザーにより設定されたコピーモードでのプレビュー表示や、各種のメッセージを表示する。
【００４９】
図４は、操作パネル２の回路構成を示すブロック図である。
【００５０】
図４を参照して、操作パネル２は、パネルＣＰＵ１０１と、ＲＯＭ１０２と、ＲＡＭ１０３と、ＬＣＤ（Ｌｉｑｕｉｄ  Ｃｒｙｓｔａｌ  Ｄｉｓｐｌａｙ）制御部１０４と、ＶＲＡＭ（Ｖｉｄｅｏ  ＲＡＭ）１０５と、ＬＣＤパネル部１１と、ハードキー操作部１０８と、入出力制御部１１１とを含んでいる。
【００５１】
パネルＣＰＵ１０１は、操作パネル２全体の制御を行う。パネルＣＰＵ１０１は、ＭＦＰ１本体内部に設けられたＭＦＰ本体システム制御部１３１との通信を行う。ＲＯＭ１０２は、操作パネル２の制御プログラムと、複数の表示画像を記憶する。ＲＡＭ１０３は、パネルＣＰＵ１０１のワークメモリである。ＬＣＤ制御部１０４は、ＶＲＡＭ１０５のリードライト制御を行い、ＬＣＤパネル部１１への画像表示を制御する。ＲＯＭ１０２に記憶された画像は、パネルＣＰＵ１０１によってＬＣＤ制御部１０４を介してＶＲＡＭ１０５に記憶され、その後パネルＣＰＵ１０１によってＶＲＡＭ１０５から読み出されてＬＣＤパネル部１１に出力される。
【００５２】
ＬＣＤパネル部１１は、タッチパネル構成になっており、直接触れることによりその位置を入出力制御部１１１により判断し、画面上のどの機能が選択されたかをパネルＣＰＵ１０１に通信し、機能設定等の入力制御を行う。
【００５３】
ハードキー操作部１０８は、スタートキー１５、テンキー、パネルリセットキーなどで構成されるハードキー、マシンの状態を示すＬＥＤ（Ｌｉｇｈｔ  Ｅｍｉｔｔｉｎｇ  Ｄｉｏｄｅ）、ハードキー、およびＬＣＤパネル部１１で入力が行われた旨を通知させるためのブザーなどから構成されている。またハードキー操作部１０８は、入出力制御部１１１によって制御され、必要に応じてパネルＣＰＵ１０１を介してＭＦＰ本体システム制御部１３１との通信を行う。ハードキー操作部１０８内のスタートキー１５の押下により、入出力制御部１１１、およびパネルＣＰＵ１０１を介してＭＦＰ本体システム制御部１３１との通信が開始され、ＭＦＰ１は一連の複写動作などを開始する。
【００５４】
ＭＦＰ１は、原稿の画像の出力モードの設定を操作パネル２で受け付け、画像読取部１３３によって複数のページよりなる原稿の画像を読み取る。操作パネル２は、読み取りを完了したページの画像を操作パネル２の一画面に１枚ずつ読み取り順にリアルタイムプレビュー表示する第１のプレビュー表示の態様と、読み取りを完了したページの複数の画像を操作パネル２の一画面にリアルタイムプレビュー表示する第２のプレビュー表示の態様との間で、リアルタイムプレビュー表示の態様を切り替え可能である。操作パネル２は、操作パネル２で受け付けた出力モードの設定に基づいて、第１のプレビュー表示と第２のプレビュー表示との間で、リアルタイムプレビュー表示の態様を決定する。
【００５５】
リアルタイムプレビュー表示とは、画像読取部１３３で原稿の全ページの画像の読み取りを完了する前に、画像読取部１３３で読み取りを完了したページの画像を操作パネル２などの表示部にプレビュー表示する表示態様である。
【００５６】
次に、ＭＦＰ１における出力モードの設定方法について説明する。
【００５７】
図５は、コピージョブが選択された場合の操作パネル２に表示される画面を模式的に示す図である。
【００５８】
図５を参照して、ジョブ選択キー１７（図３）でコピージョブが選択された場合、操作パネル２のＬＣＤパネル部１１には、設定可能な出力モードが表示される。操作パネル２は、出力モードとして、パンチ設定、ステープル設定、折り設定、または綴じしろ設定などの後処理の設定を受け付ける。また操作パネル２は、出力モードとして、片面／両面印刷の設定や、用紙サイズの設定や、印字倍率の設定や、印字画質／濃度の設定などの印字モードの設定を受け付ける。操作パネル２はその他の出力モードの設定を受け付けてもよい。
【００５９】
たとえば「両面／ページ集約」キー３１が押下された場合には、操作パネル２は、画像読取部１３３で読み取った原稿の画像を用紙に対して片面印刷するか、両面印刷するかの設定を受け付ける。「仕上り」キー３２が押下された場合には、操作パネル２は、パンチ処理、ステープル処理、または折り処理などの後処理の設定や、綴じ位置の設定などを受け付ける。出力モードが設定された後でスタートキー１５が押下されると、ＭＦＰ１はコピージョブの実行を開始する。リアルタイムプレビュー機能が設定されている場合、ＭＦＰ１は、画像読取部１３３で読み込んだ原稿の画像をＬＣＤパネル部１１にリアルタイムプレビュー表示する。
【００６０】
次に、操作パネル２が行うリアルタイムプレビュー表示の２つの態様について説明する。
【００６１】
図６は、操作パネル２が行う第１のプレビュー表示の態様を模式的に示す図である。
【００６２】
図６を参照して、第１のプレビュー表示の態様（１枚表示モード）でリアルタイムプレビュー表示を行う場合、操作パネル２は、読み取りを完了したページの画像を一画面に１枚ずつ読み取り順にプレビュー表示する。各画像は一定時間プレビュー表示される。
【００６３】
たとえば、（ａ）に示すように、１〜６ページよりなる原稿の読み込みを画像読取部１３３が行い、読み込んだ原稿の画像を操作パネル２が第１のプレビュー表示の態様でリアルタイムプレビュー表示する場合を想定する。１ページの読み込みが完了すると、操作パネル２は、（ｂ）に示すように、１ページのプレビュー画像をＬＣＤパネル部１１に一定時間表示する。１ページの画像のプレビュー表示中に２ページ以降の読み込みが完了しても、操作パネル２はそれらのページの画像をプレビュー表示しない。
【００６４】
（ｂ）に示す画面を表示してから一定時間経過後、操作パネル２は、（ｃ）に示すように、プレビュー画像を１ページから２ページに切り替え、２ページのプレビュー画像をＬＣＤパネル部１１に一定時間表示する。
【００６５】
その後操作パネル２は、（ｄ）、（ｅ）、（ｆ）、および（ｇ）に示すように、３ページ以降のプレビュー画像を読み込み順に１枚ずつ、ＬＣＤパネル部１１に一定時間表示する。操作パネル２は、６ページのプレビュー画像を一定時間表示した後、リアルタイムプレビュー表示を終了する。
【００６６】
図７は、操作パネル２が行う第２のプレビュー表示の態様を模式的に示す図である。
【００６７】
図７を参照して、第２のプレビュー表示の態様（複数枚表示モード）でリアルタイムプレビュー表示を行う場合、操作パネル２は、読み取りを完了したページの複数の画像を一画面にプレビュー表示する。プレビュー表示される複数の画像のうち１つの画像は、他の画像よりも大きくプレビュー表示され、大きくプレビュー表示する画像は、画像の読み取り順に切り替えられてもよい。
【００６８】
たとえば、（ａ）に示すように、１〜６ページよりなる原稿の読み込みを画像読取部１３３が行い、読み込んだ原稿の画像を操作パネル２が第２のプレビュー表示の態様でリアルタイムプレビュー表示する場合を想定する。１ページの読み込みが完了すると、操作パネル２は、（ｂ）に示すように、１ページのプレビュー画像をＬＣＤパネル部１１に一定時間表示する。１ページの画像のプレビュー表示中に２ページ以降の読み込みが完了すると、操作パネル２はそれらのページの画像を１ページの画像よりも小さくプレビュー表示する。たとえば２〜４ページの読み込みが完了すると、これらのプレビュー画像は、大きくプレビュー表示している１ページの画像のたとえば右側に表示される。
【００６９】
（ｂ）に示す画面を表示してから一定時間経過後、操作パネル２は、（ｃ）に示すように、大きくプレビュー表示する画像を１ページから２ページに切り替え、２ページの画像をＬＣＤパネル部１１に一定時間大きくプレビュー表示する。この時操作パネル２は、１ページの画像のように、大きくプレビュー表示した後の画像であって、現在大きくプレビュー表示している画像と１枚の用紙の表裏の関係で印字される画像を、大きくプレビュー表示している画像の左側に小さくプレビュー表示してもよい。操作パネル２は、現在大きくプレビュー表示している画像と、現在大きくプレビュー表示している画像と表裏の関係で印字される画像とを、枠３３で囲ってもよい。枠３３は赤などのカラー色であることが好ましい。これらの画像を枠３３で囲うことにより、注目すべき用紙の表裏に印字される画像の組をユーザーに対して知らせることができる。なお、（ｂ）において、１ページのプレビュー画像は表示されなくてもよいし、枠３３の表示は任意である。
【００７０】
（ｃ）に示す画面を表示してから一定時間経過後、操作パネル２は、（ｄ）に示すように、大きくプレビュー表示する画像を２ページから３ページに切り替え、３ページの画像をＬＣＤパネル部１１に一定時間大きくプレビュー表示する。大きくプレビュー表示された３ページの画像と、小さくプレビュー表示された４ページの画像とは枠３３で囲まれる。この時操作パネル２は、１および２ページの画像のように、大きくプレビュー表示した後の画像であって、現在大きくプレビュー表示している画像と１枚の用紙の表裏の関係で印字されない画像をプレビュー表示しない。なお（ｃ）において、１および２ページのプレビュー画像を、３ページのプレビュー画像の左側に小さく表示してもよい。
【００７１】
その後操作パネル２は、（ｅ）、（ｆ）、および（ｇ）に示すように、４ページ以降の画像を読み込み順に１枚ずつ、ＬＣＤパネル部１１に一定時間大きくプレビュー表示する。操作パネル２は、６ページの画像を一定時間大きくプレビュー表示した後、リアルタイムプレビュー表示を終了する。
【００７２】
上述の第１および第２のプレビュー表示の態様の説明では、一定時間毎にプレビュー表示する画像（第２のプレビュー表示の態様では大きくプレビュー表示する画像）を切り替える場合について示したが、１つのページの読み込みが完了（画像の読み取りが完了）する度に、プレビュー表示する画像（第２のプレビュー表示の態様では大きくプレビュー表示する画像）を、最も新しく読み込みが完了したページの画像に切り替えてもよい。
【００７３】
操作パネル２は、操作パネル２で受け付けた印字モード（出力モード）の設定に基づいて、第１のプレビュー表示の態様と第２のプレビュー表示の態様との間で、リアルタイムプレビュー表示の態様を決定する。操作パネル２は、たとえば読み込んだ原稿の画像を用紙の片面にのみ印刷するモード（片面出力モード）の設定を受け付けた場合には、図６に示す第１のプレビュー表示の態様でリアルタイムプレビュー表示を行い、たとえば読み込んだ原稿の画像を用紙の両面に印刷するモード（両面出力モード）の設定を受け付けた場合には、図７に示す第２のプレビュー表示の態様でリアルタイムプレビュー表示を行う。
【００７４】
図８は、本発明の第１の実施の形態における操作パネル２の動作を示すフローチャートである。
【００７５】
図８を参照して、操作パネル２のパネルＣＰＵ１０１は、印字モード（出力モード）の設定を受け付け（Ｓ１）、スタートキー１５の押下を受け付けると、ＭＦＰ本体システム制御部１３１に対して原稿の読み込みの開始を指示する（Ｓ３）。次にパネルＣＰＵ１０１は、受け付けた印字モードが片面印刷（片面出力）であるか否かを判別する（Ｓ５）。
【００７６】
ステップＳ５において、片面印刷であると判別した場合（Ｓ５でＹＥＳ）、パネルＣＰＵ１０１は、第１のプレビュー表示の態様を選択し（Ｓ７）、選択した態様でリアルタイムプレビュー表示を行い（Ｓ９）、処理を終了する。一方、両面印刷であると判別した場合（Ｓ５でＮＯ）、パネルＣＰＵ１０１は、第２のプレビュー表示の態様を選択し（Ｓ１１）、選択した態様でリアルタイムプレビュー表示を行い（Ｓ１３）、処理を終了する。
【００７７】
［第２の実施の形態］
本実施の形態においては、両面出力モードの設定とともに（または両面出力モードの設定無しに）、パンチ設定、ステープル設定、折り設定、および綴じしろ設定の少なくともいずれかの後処理モードの設定を操作パネル２が受け付けた場合、操作パネル２は、後処理が施される位置に所定の記号を付して第２のプレビュー表示の態様でプレビュー表示を行う点において、第１の実施の形態とは異なっている。ＭＦＰ１の構成などについては第１の実施の形態と同様であるので、その説明は繰り返さない。以下、本実施の形態におけるリアルタイムプレビュー表示方法について説明する。
【００７８】
図９は、左綴じのパンチ設定が有効である場合に操作パネル２が行う第２のプレビュー表示の態様を模式的に示す図である。
【００７９】
図９を参照して、パンチ設定が有効である場合に、操作パネル２は、第２のプレビュー表示の態様でリアルタイムプレビュー表示を行う。第２のプレビュー表示を行う際、操作パネル２は、プレビュー表示する複数の画像に対してパンチ位置を表示する。
【００８０】
たとえば、左綴じのパンチ設定（用紙の表面の左側にパンチ穴を開けるパンチ設定）が有効な状態で、（ａ）に示すように、１〜６ページよりなる原稿の読み込みを画像読取部１３３が行い、読み込んだ原稿の画像を操作パネル２がリアルタイムプレビュー表示する場合を想定する。１ページの読み込みが終わると、操作パネル２は、（ｂ）に示すように、１ページのプレビュー画像をＬＣＤパネル部１１に一定時間表示する。１ページのプレビュー画像内の左側には、パンチ位置を示すマーク３５ａが表示される。１ページの画像のプレビュー表示中に２ページ以降の読み込みが完了すると、操作パネル２はそれらのページの画像を１ページの画像よりも小さくプレビュー表示する。たとえば２〜４ページの読み込みが完了すると、これらのプレビュー画像は、大きくプレビュー表示している１ページの画像のたとえば右側に表示される。２および４ページの画像内の右側には、パンチ位置を示すマーク３５ｂおよび３５ｄが表示される。３ページの画像内の左側には、パンチ位置を示すマーク３５ｃが表示される。マーク３５ａ〜３５ｄの各々は、用紙の表裏に応じたパンチ位置に表示される。
【００８１】
また、現在大きくプレビュー表示されているページの画像と、そのページの画像と表裏の関係で印字されるページの画像とは、枠３３で囲われる。操作パネル２は、たとえば「出力：１枚目」のように、現在大きくプレビュー表示している画像が用紙の何枚目に印字される画像であるかを示す文字を、枠３３とともに表示してもよい。
【００８２】
（ｂ）に示す画面を表示してから一定時間経過後、操作パネル２は、（ｃ）に示すように、大きくプレビュー表示する画像を１ページから２ページに切り替え、２ページの画像をＬＣＤパネル部１１に一定時間大きくプレビュー表示する。マーク３５ｂは、大きくプレビュー表示された２ページの画像におけるパンチ位置に表示される。この時操作パネル２は、１ページの画像を、大きくプレビュー表示されている画像の左側に小さくプレビュー表示する。
【００８３】
（ｃ）に示す画面を表示してから一定時間経過後、操作パネル２は、（ｄ）に示すように、大きくプレビュー表示する画像を２ページから３ページに切り替え、３ページの画像をＬＣＤパネル部１１に一定時間大きくプレビュー表示する。マーク３５ｃは、大きくプレビュー表示された３ページの画像におけるパンチ位置に表示される。また、現在大きくプレビュー表示されている３ページの画像と、３ページの画像と表裏の関係で印字される４ページの画像とは、枠３３で囲われる。この時操作パネル２は、１および２ページのプレビュー画像のように、大きくプレビュー表示した後の画像であって、現在大きくプレビュー表示している画像と１枚の用紙の表裏の関係で印字されない画像を、現在大きくプレビュー表示している画像の左側に小さくプレビュー表示する。なお（ｃ）において、１および２ページのプレビュー画像を表示しなくてもよい。
【００８４】
その後操作パネル２は、（ｅ）、（ｆ）、および（ｇ）に示すように、４ページ以降の画像を読み込み順に１枚ずつ、ＬＣＤパネル部１１に一定時間大きくプレビュー表示する。操作パネル２は、４ページ以降のプレビュー画像とともに、パンチ位置を示すマークも表示する。操作パネル２は、６ページの画像を一定時間大きくプレビュー表示した後、リアルタイムプレビュー表示を終了する。
【００８５】
このように、出力された用紙のパンチ位置を示すマーク３５ａ〜３５ｄを視覚的に表示することにより、ユーザーは用紙の表裏におけるパンチ位置と、原稿の出力状態とを瞬時に確認することが可能となる。
【００８６】
また、左綴じが設定された場合、操作パネル２は、図９に示すように、プレビュー画像をＬＣＤパネル部１１の右から左へ流れるようにページ送りし、拡大して表示する画像（大きくプレビュー表示する画像）を、流れ方向に従って左から右へ切り替えてもよい。これにより、ユーザーは左開き（左綴じ）でページ送りした感覚で、仕上り状態を確認することが可能となる。
【００８７】
図１０は、左上綴じのステープル設定が有効である場合に操作パネル２が行う第２のプレビュー表示の態様を模式的に示す図である。
【００８８】
図１０を参照して、ステープル設定が有効である場合に、操作パネル２は、第２のプレビュー表示の態様でリアルタイムプレビュー表示を行う。第２のプレビュー表示を行う際、操作パネル２は、プレビュー表示する複数の画像に対してステープル位置を表示する。ステープル位置の表示方法は、上述のパンチ位置の表示方法とほぼ同一である。
【００８９】
たとえば、左上綴じのステープル設定（用紙の表面の左上をステープルで固定するステープル設定）が有効な状態で、（ａ）に示すように、１〜６ページよりなる原稿の読み込みを画像読取部１３３が行い、読み込んだ原稿の画像を操作パネル２がリアルタイムプレビュー表示する場合を想定する。１ページの読み込みが終わると、操作パネル２は、（ｂ）に示すように、１ページのプレビュー画像をＬＣＤパネル部１１に一定時間表示する。１ページのプレビュー画像内の左上には、ステープル位置を示すマーク３６ａが表示される。１ページの画像のプレビュー表示中に２ページ以降の読み込みが完了すると、操作パネル２はそれらのページの画像を１ページの画像よりも小さくプレビュー表示する。たとえば２〜４ページの読み込みが完了すると、これらのプレビュー画像は、大きくプレビュー表示している１ページの画像のたとえば右側に表示される。２および４ページの画像内の右上には、ステープル位置を示すマーク３６ｂおよび３６ｄが表示される。３ページの画像内の左上には、ステープル位置を示すマーク３６ｃが表示される。マーク３６ａ〜３６ｄの各々は、用紙の表裏に応じたステープル位置に表示される。
【００９０】
また、現在大きくプレビュー表示されているページの画像と、そのページの画像と表裏の関係で印字されるページの画像とは、枠３３で囲われる。
【００９１】
（ｂ）に示す画面を表示してから一定時間経過後、操作パネル２は、（ｃ）に示すように、大きくプレビュー表示する画像を１ページから２ページに切り替え、２ページの画像をＬＣＤパネル部１１に一定時間大きくプレビュー表示する。マーク３６ｂは、大きくプレビュー表示された２ページの画像におけるステープル位置に表示される。この時操作パネル２は、１ページの画像を、大きくプレビュー表示されている画像の左側に小さくプレビュー表示する。
【００９２】
（ｃ）に示す画面を表示してから一定時間経過後、操作パネル２は、（ｄ）に示すように、大きくプレビュー表示する画像を２ページから３ページに切り替え、３ページの画像をＬＣＤパネル部１１に一定時間大きくプレビュー表示する。マーク３６ｃは、大きくプレビュー表示された３ページの画像におけるステープル位置に表示される。また、現在大きくプレビュー表示されている３ページの画像と、３ページの画像と表裏の関係で印字される４ページの画像とは、枠３３で囲われる。この時操作パネル２は、１および２ページのプレビュー画像のように、大きくプレビュー表示した後の画像であって、現在大きくプレビュー表示している画像と１枚の用紙の表裏の関係で印字されない画像を、現在大きくプレビュー表示している画像の左側に小さくプレビュー表示する。
【００９３】
その後操作パネル２は、（ｅ）、（ｆ）、および（ｇ）に示すように、４ページ以降の画像を読み込み順に１枚ずつ、ＬＣＤパネル部１１に一定時間大きくプレビュー表示する。操作パネル２は、４ページ以降のプレビュー画像とともに、ステープル位置を示すマークも表示する。操作パネル２は、６ページの画像を一定時間大きくプレビュー表示した後、リアルタイムプレビュー表示を終了する。
【００９４】
このように、出力された用紙のステープル位置を示すマーク３６ａ〜３６ｄを視覚的に表示することにより、ユーザーは用紙の表裏におけるステープル位置と、原稿の出力状態とを瞬時に確認することが可能となる。
【００９５】
図１１は、折り設定が有効である場合に操作パネル２が行う第２のプレビュー表示の態様を模式的に示す図である。
【００９６】
図１１を参照して、折り設定が有効である場合に、操作パネル２は、第２のプレビュー表示の態様でリアルタイムプレビュー表示を行う。第２のプレビュー表示を行う際、操作パネル２は、プレビュー表示する複数の画像に対して折り位置を表示する。折り位置の表示方法は、上述のパンチ位置の表示方法とほぼ同一である。
【００９７】
たとえば、用紙の２枚目（原稿の３ページおよび４ページが印字される用紙）の表面の右側を片袖折り（三つ折り）する設定が有効な状態で、（ａ）に示すように、１〜６ページよりなる原稿の読み込みを画像読取部１３３が行い、読み込んだ原稿の画像を操作パネル２がリアルタイムプレビュー表示する場合を想定する。１ページの読み込みが終わると、操作パネル２は、（ｂ）に示すように、１ページのプレビュー画像をＬＣＤパネル部１１に一定時間表示する。１ページの画像のプレビュー表示中に２ページ以降の読み込みが完了すると、操作パネル２はそれらのページの画像を１ページの画像よりも小さくプレビュー表示する。たとえば２〜４ページの読み込みが完了すると、これらのプレビュー画像は、大きくプレビュー表示している１ページの画像のたとえば右側に表示される。原稿の３ページの画像内の右側には、折り位置を示す二本の点線３７ａが表示され、原稿の４ページの画像内の左側には、折り位置を示す二本の点線３７ｂが表示される。二本の点線３７ａおよび３７ｂの各々は、用紙の表裏に応じた折り位置に表示される。
【００９８】
また、現在大きくプレビュー表示されているページの画像と、そのページの画像と表裏の関係で印字されるページの画像とは、枠３３で囲われる。
【００９９】
（ｂ）に示す画面を表示してから一定時間経過後、操作パネル２は、（ｃ）に示すように、大きくプレビュー表示する画像を１ページから２ページに切り替え、２ページの画像をＬＣＤパネル部１１に一定時間大きくプレビュー表示する。この時操作パネル２は、１ページの画像を、大きくプレビュー表示されている画像の左側に小さくプレビュー表示する。
【０１００】
（ｃ）に示す画面を表示してから一定時間経過後、操作パネル２は、（ｄ）に示すように、大きくプレビュー表示する画像を２ページから３ページに切り替え、３ページの画像をＬＣＤパネル部１１に一定時間大きくプレビュー表示する。大きくプレビュー表示された３ページの画像における折り位置には二本の点線３７ａが表示される。また、現在大きくプレビュー表示されている３ページの画像と、３ページの画像と表裏の関係で印字される４ページの画像とは、枠３３で囲われる。この時操作パネル２は、２ページのプレビュー画像のように、大きくプレビュー表示した後の画像であって、現在大きくプレビュー表示している画像と１枚の用紙の表裏の関係で印字されない画像の一部を、現在大きくプレビュー表示している画像の左側に小さくプレビュー表示してもよい。
【０１０１】
（ｄ）に示す画面を表示してから一定時間経過後、操作パネル２は、（ｅ）に示すように、大きくプレビュー表示する画像を３ページから４ページに切り替え、４ページの画像をＬＣＤパネル部１１に一定時間大きくプレビュー表示する。大きくプレビュー表示された４ページの画像における折り位置には二本の点線３７ｂが表示される。
【０１０２】
その後操作パネル２は、（ｆ）および（ｇ）に示すように、５ページ以降の画像を読み込み順に１枚ずつ、ＬＣＤパネル部１１に一定時間大きくプレビュー表示する。操作パネル２は、６ページの画像を一定時間大きくプレビュー表示した後、リアルタイムプレビュー表示を終了する。
【０１０３】
このように、出力された用紙の折り位置を示す二本の点線３７ａおよび３７ｂを視覚的に表示することにより、ユーザーは用紙の表裏における折り位置と、原稿の出力状態とを瞬時に確認することが可能となる。
【０１０４】
図１２は、綴じしろ設定が有効である場合に操作パネル２が行う第２のプレビュー表示の態様を模式的に示す図である。
【０１０５】
図１２を参照して、綴じしろ設定が有効である場合に、操作パネル２は、第２のプレビュー表示の態様でリアルタイムプレビュー表示を行う。第２のプレビュー表示を行う際、操作パネル２は、プレビュー表示する複数の画像に対して綴じしろ位置を表示する。綴じしろ位置の表示方法は、上述のパンチ位置の表示方法とほぼ同一である。
【０１０６】
たとえば、用紙の表面の上側、右側、および下側への綴じしろ設定が有効な状態で、（ａ）に示すように、１〜６ページよりなる原稿の読み込みを画像読取部１３３が行い、読み込んだ原稿の画像を操作パネル２がリアルタイムプレビュー表示する場合を想定する。１ページの読み込みが終わると、操作パネル２は、（ｂ）に示すように、１ページのプレビュー画像をＬＣＤパネル部１１に一定時間表示する。１ページのプレビュー画像内の上側、右側、および下側には、綴じしろ位置を示す線３８ａが表示される。１ページの画像のプレビュー表示中に２ページ以降の読み込みが完了すると、操作パネル２はそれらのページの画像を１ページの画像よりも小さくプレビュー表示する。たとえば２〜４ページの読み込みが完了すると、これらのプレビュー画像は、大きくプレビュー表示している１ページの画像のたとえば右側に表示される。２および４ページの画像内の上側、左側、および下側には、綴じしろ位置を示す線３８ｂおよび３８ｄが表示される。３ページの画像内の上側、右側、および下側には、綴じしろ位置を示す線３８ｃが表示される。線３８ａ〜３８ｄの各々は、用紙の表裏に応じた綴じしろ位置に表示される。
【０１０７】
また、現在大きくプレビュー表示されているページの画像と、そのページの画像と表裏の関係で印字されるページの画像とは、枠３３で囲われる。
【０１０８】
（ｂ）に示す画面を表示してから一定時間経過後、操作パネル２は、（ｃ）に示すように、大きくプレビュー表示する画像を１ページから２ページに切り替え、２ページの画像をＬＣＤパネル部１１に一定時間大きくプレビュー表示する。線３８ｂは、大きくプレビュー表示された２ページの画像における綴じしろ位置に表示される。この時操作パネル２は、１ページの画像を、大きくプレビュー表示されている画像の左側に小さくプレビュー表示する。
【０１０９】
（ｃ）に示す画面を表示してから一定時間経過後、操作パネル２は、（ｄ）に示すように、大きくプレビュー表示する画像を２ページから３ページに切り替え、３ページの画像をＬＣＤパネル部１１に一定時間大きくプレビュー表示する。線３８ｃは、大きくプレビュー表示された３ページの画像における綴じしろ位置に表示される。また、現在大きくプレビュー表示されている３ページの画像と、３ページの画像と表裏の関係で印字される４ページの画像とは、枠３３で囲われる。この時操作パネル２は、１および２ページのプレビュー画像のように、大きくプレビュー表示した後の画像であって、現在大きくプレビュー表示している画像と１枚の用紙の表裏の関係で印字されない画像を、現在大きくプレビュー表示している画像の左側に小さくプレビュー表示する。
【０１１０】
その後操作パネル２は、（ｅ）、（ｆ）、および（ｇ）に示すように、４ページ以降の画像を読み込み順に１枚ずつ、ＬＣＤパネル部１１に一定時間大きくプレビュー表示する。操作パネル２は、４ページ以降のプレビュー画像とともに、綴じしろ位置を示す線も表示する。操作パネル２は、６ページの画像を一定時間大きくプレビュー表示した後、リアルタイムプレビュー表示を終了する。
【０１１１】
このように、出力された用紙の綴じしろ位置を示す線３８ａ〜３８ｄを視覚的に表示することにより、ユーザーは用紙の表裏における綴じしろ位置と、原稿の出力状態とを瞬時に確認することが可能となる。
【０１１２】
図１３は、本発明の第２の実施の形態における操作パネル２の動作を示すフローチャートである。
【０１１３】
図１３を参照して、このフローチャートは、後処理設定（出力設定）に基づくリアルタイムプレビュー表示の制御フローチャートである。設定された後処理の各モードに応じた態様で、リアルタイムプレビュー表示が行われる。
【０１１４】
操作パネル２のパネルＣＰＵ１０１は、必要に応じて後処理モード（出力モード）の設定を受け付け（Ｓ２１）、スタートキー１５の押下を受け付けると、ＭＦＰ本体システム制御部１３１に対して原稿の読み込みの開始を指示する（Ｓ２３）。次にパネルＣＰＵ１０１は、パンチ設定を受け付けたか否かを判別する（Ｓ２５）。
【０１１５】
ステップＳ２５において、パンチ設定を受け付けたと判別した場合（Ｓ２５でＹＥＳ）、パネルＣＰＵ１０１は、図９に示す第２のプレビュー表示の態様を選択し、この態様で画像をリアルタイムプレビュー表示し（Ｓ２７）、処理を終了する。一方、ステップＳ２５において、パンチ設定を受け付けないと判別した場合（Ｓ２５でＮＯ）、パネルＣＰＵ１０１は、ステープル設定を受け付けたか否かを判別する（Ｓ２９）。
【０１１６】
ステップＳ２９において、ステープル設定を受け付けたと判別した場合（Ｓ２９でＹＥＳ）、パネルＣＰＵ１０１は、図１０に示す第２のプレビュー表示の態様を選択し、この態様で画像をリアルタイムプレビュー表示し（Ｓ３１）、処理を終了する。一方、ステップＳ２９において、ステープル設定を受け付けないと判別した場合（Ｓ２９でＮＯ）、パネルＣＰＵ１０１は、折り設定を受け付けたか否かを判別する（Ｓ３３）。
【０１１７】
ステップＳ３３において、折り設定を受け付けたと判別した場合（Ｓ３３でＹＥＳ）、パネルＣＰＵ１０１は、図１１に示す第２のプレビュー表示の態様を選択し、この態様で画像をリアルタイムプレビュー表示し（Ｓ３５）、処理を終了する。一方、ステップＳ３３において、折り設定を受け付けないと判別した場合（Ｓ３３でＮＯ）、パネルＣＰＵ１０１は、綴じしろ設定を受け付けたか否かを判別する（Ｓ３７）。
【０１１８】
ステップＳ３７において、綴じしろ設定を受け付けたと判別した場合（Ｓ３７でＹＥＳ）、パネルＣＰＵ１０１は、図１２に示す第２のプレビュー表示の態様を選択し、この態様で画像をリアルタイムプレビュー表示し（Ｓ３９）、処理を終了する。一方、ステップＳ３７において、綴じしろ設定を受け付けないと判別した場合（Ｓ３７でＮＯ）、パネルＣＰＵ１０１は、後処理設定がなされていないものと判断する。この場合パネルＣＰＵ１０１は、設定された印字モードに基づいて図６に示す第１のプレビュー表示の態様または図７に示す第２のプレビュー表示の態様を選択し、選択した態様で画像をリアルタイムプレビュー表示し（Ｓ４１）、処理を終了する。
【０１１９】
［第３の実施の形態］
本実施の形態においては、左綴じ、右綴じ、または上綴じなどの綴じ位置（出力綴じ方向）の設定を操作パネル２が受け付けた場合、操作パネル２は、綴じ位置の設定に応じてプレビュー表示する複数の画像の流れ方向を決定して、第２のプレビュー表示の態様によるプレビュー表示を行う点において、第１の実施の形態とは異なっている。ＭＦＰ１の構成などについては第１の実施の形態と同様であるので、その説明は繰り返さない。以下、本実施の形態におけるリアルタイムプレビュー表示方法について説明する。
【０１２０】
図１４は、右綴じのパンチ設定が有効である場合に操作パネル２が行う第２のプレビュー表示の態様を模式的に示す図である。
【０１２１】
図１４を参照して、右綴じのパンチ設定（用紙の表面の右側にパンチ穴を開けるパンチ設定）が有効な状態で、（ａ）に示すように、１〜６ページよりなる原稿の読み込みを画像読取部１３３が行い、読み込んだ原稿の画像を操作パネル２がリアルタイムプレビュー表示する場合を想定する。１ページの読み込みが終わると、操作パネル２は、（ｂ）に示すように、１ページのプレビュー画像をＬＣＤパネル部１１に一定時間表示する。１ページのプレビュー画像内の右側には、パンチ位置を示すマーク３５ａが表示される。１ページの画像のプレビュー表示中に２ページ以降の読み込みが完了すると、操作パネル２はそれらのページの画像を１ページの画像よりも小さくプレビュー表示する。たとえば２〜４ページの読み込みが完了すると、これらのプレビュー画像は、大きくプレビュー表示している１ページの画像の左側に表示される。２および４ページの画像内の左側には、パンチ位置を示すマーク３５ｂおよび３５ｄが表示される。３ページの画像内の右側には、パンチ位置を示すマーク３５ｃが表示される。マーク３５ａ〜３５ｄの各々は、用紙の表裏に応じたパンチ位置に表示される。
【０１２２】
また、現在大きくプレビュー表示されているページの画像と、そのページの画像と表裏の関係で印字されるページの画像とは、枠３３で囲われる。
【０１２３】
（ｂ）に示す画面を表示してから一定時間経過後、操作パネル２は、（ｃ）に示すように、大きくプレビュー表示する画像を１ページから２ページに切り替え、２ページの画像をＬＣＤパネル部１１に一定時間大きくプレビュー表示する。マーク３５ｂは、大きくプレビュー表示された２ページの画像におけるパンチ位置に表示される。この時操作パネル２は、１ページの画像を、大きくプレビュー表示されている画像の右側に小さくプレビュー表示する。
【０１２４】
（ｃ）に示す画面を表示してから一定時間経過後、操作パネル２は、（ｄ）に示すように、大きくプレビュー表示する画像を２ページから３ページに切り替え、３ページの画像をＬＣＤパネル部１１に一定時間大きくプレビュー表示する。マーク３５ｃは、大きくプレビュー表示された３ページの画像におけるパンチ位置に表示される。また、現在大きくプレビュー表示されている３ページの画像と、３ページの画像と表裏の関係で印字される４ページの画像とは、枠３３で囲われる。この時操作パネル２は、１および２ページのプレビュー画像のように、大きくプレビュー表示した後の画像であって、現在大きくプレビュー表示している画像と１枚の用紙の表裏の関係で印字されない画像を、現在大きくプレビュー表示している画像の右側に小さくプレビュー表示する。
【０１２５】
その後操作パネル２は、（ｅ）、（ｆ）、および（ｇ）に示すように、４ページ以降の画像を読み込み順に１枚ずつ、ＬＣＤパネル部１１に一定時間大きくプレビュー表示する。操作パネル２は、４ページ以降のプレビュー画像とともに、パンチ位置を示すマークも表示する。操作パネル２は、６ページの画像を一定時間大きくプレビュー表示した後、リアルタイムプレビュー表示を終了する。
【０１２６】
このように、右綴じが設定された場合、操作パネル２は、プレビュー画像をＬＣＤパネル部１１の左から右へ流れるようにページ送りし、拡大して表示する画像（大きくプレビュー表示する画像）を、流れ方向に従って右から左へ切り替えてもよい。これにより、ユーザーは右開き（右綴じ）でページ送りした感覚で、仕上り状態を確認することが可能となる。
【０１２７】
図１５は、上綴じのパンチ設定が有効である場合に操作パネル２が行う第２のプレビュー表示の態様を模式的に示す図である。
【０１２８】
図１５を参照して、上綴じのパンチ設定（用紙の表面の上側にパンチ穴を開けるパンチ設定）が有効な状態で、（ａ）に示すように、１〜６ページよりなる原稿の読み込みを画像読取部１３３が行い、読み込んだ原稿の画像を操作パネル２がリアルタイムプレビュー表示する場合を想定する。１ページの読み込みが終わると、操作パネル２は、（ｂ）に示すように、１ページのプレビュー画像をＬＣＤパネル部１１に一定時間表示する。１ページのプレビュー画像内の上側には、パンチ位置を示すマーク３５ａが表示される。１ページの画像のプレビュー表示中に２ページ以降の読み込みが完了すると、操作パネル２はそれらのページの画像を１ページの画像よりも小さくプレビュー表示する。たとえば２〜４ページの読み込みが完了すると、これらのプレビュー画像は、大きくプレビュー表示している１ページの画像の下側または右側に表示される。２および４ページの画像内の下側には、パンチ位置を示すマーク３５ｂおよび３５ｄが表示される。３ページの画像内の上側には、パンチ位置を示すマーク３５ｃが表示される。マーク３５ａ〜３５ｄの各々は、用紙の表裏に応じたパンチ位置に表示される。
【０１２９】
また、現在大きくプレビュー表示されているページの画像と、そのページの画像と表裏の関係で印字されるページの画像とは、枠３３で囲われる。
【０１３０】
（ｂ）に示す画面を表示してから一定時間経過後、操作パネル２は、（ｃ）に示すように、大きくプレビュー表示する画像を１ページから２ページに切り替え、２ページの画像をＬＣＤパネル部１１に一定時間大きくプレビュー表示する。マーク３５ｂは、大きくプレビュー表示された２ページの画像におけるパンチ位置に表示される。この時操作パネル２は、１ページの画像を、大きくプレビュー表示されている２ページの画像の上側に小さくプレビュー表示する。
【０１３１】
（ｃ）に示す画面を表示してから一定時間経過後、操作パネル２は、（ｄ）に示すように、大きくプレビュー表示する画像を２ページから３ページに切り替え、３ページの画像をＬＣＤパネル部１１に一定時間大きくプレビュー表示する。マーク３５ｃは、大きくプレビュー表示された３ページの画像におけるパンチ位置に表示される。また、現在大きくプレビュー表示されている３ページの画像と、３ページの画像と表裏の関係で印字される４ページの画像とは、枠３３で囲われる。この時操作パネル２は、１および２ページのプレビュー画像のように、大きくプレビュー表示した後の画像であって、現在大きくプレビュー表示している画像と１枚の用紙の表裏の関係で印字されない画像を、現在大きくプレビュー表示している画像のたとえば左上側に小さくプレビュー表示する。
【０１３２】
その後操作パネル２は、（ｅ）、（ｆ）、および（ｇ）に示すように、４ページ以降の画像を読み込み順に１枚ずつ、ＬＣＤパネル部１１に一定時間大きくプレビュー表示する。操作パネル２は、４ページ以降のプレビュー画像とともに、パンチ位置を示すマークも表示する。操作パネル２は、６ページの画像を一定時間大きくプレビュー表示した後、リアルタイムプレビュー表示を終了する。
【０１３３】
このように、上綴じが設定された場合、操作パネル２は、プレビュー画像をＬＣＤパネル部１１の下から上へ流れるようにページ送りし、拡大して表示する画像（大きくプレビュー表示する画像）を、流れ方向に従って上から下へ切り替えてもよい。これにより、ユーザーは上開き（上綴じ）でページ送りした感覚で、仕上り状態を確認することが可能となる。
【０１３４】
なお図１５では、プレビュー画像をＬＣＤパネル部１１の右から左上へ流れるようにページ送りする態様について示したが、プレビュー画像をＬＣＤパネル部１１の左から右上へ流れるようにページ送りしてもよい。具体的には、３ページの画像を大きくプレビュー表示している時に、３ページの画像の左側に５ページ以降の画像を小さくプレビュー表示し、３ページの画像の右上に１ページおよび２ページの画像を小さくプレビュー表示してもよい。また、プレビュー画像をＬＣＤパネル部１１の真下から真上へ流れるようにページ送りしてもよい。具体的には、３ページの画像を大きくプレビュー表示している時に、４ページの画像の真下に５ページ以降の画像を小さくプレビュー表示し、３ページの画像の真上に１ページおよび２ページの画像を小さくプレビュー表示してもよい。
【０１３５】
図１４および図１５のプレビュー表示の態様は、パンチ設定の場合の他、たとえばステープル設定、折り設定、または綴じしろ設定などの他の綴じ設定がなされた場合にも適用可能である。
【０１３６】
図１６は、本発明の第３の実施の形態における操作パネル２の動作を示すフローチャートである。
【０１３７】
図１６を参照して、このフローチャートは、綴じ位置の設定に基づくリアルタイムプレビュー表示の制御フローチャートである。設定された後処理の各モードに応じて、図６、図９、図１４、または図１５のリアルタイムプレビュー表示が行われる。
【０１３８】
操作パネル２のパネルＣＰＵ１０１は、印字モードの設定や、綴じ位置（出力綴じ方向）を含む後処理の設定を受け付け（Ｓ５１）、スタートキー１５の押下を受け付けると、ＭＦＰ本体システム制御部１３１に対して原稿の読み込みの開始を指示する（Ｓ５３）。次にパネルＣＰＵ１０１は、受け付けた印字モードが片面印刷（片面出力）であるか否かを判別する（Ｓ５５）。
【０１３９】
ステップＳ５５において、片面印刷であると判別した場合（Ｓ５５でＹＥＳ）、パネルＣＰＵ１０１は、図６に示す第１のプレビュー表示の態様を選択し、選択した態様でリアルタイムプレビュー表示を行い（Ｓ５７）、処理を終了する。一方、ステップＳ５５において、両面印刷であると判別した場合（Ｓ５５でＮＯ）、パネルＣＰＵ１０１は、左綴じ設定を受け付けたか否かを判別する（Ｓ６１）。
【０１４０】
ステップＳ６１において、左綴じ設定を受け付けたと判別した場合（Ｓ６１でＹＥＳ）、パネルＣＰＵ１０１は、図９に示す第２のプレビュー表示の態様を選択し、この態様で画像をリアルタイムプレビュー表示し（Ｓ６３）、処理を終了する。一方、ステップＳ６１において、左綴じ設定を受け付けないと判別した場合（Ｓ６１でＮＯ）、パネルＣＰＵ１０１は、右綴じ設定を受け付けたか否かを判別する（Ｓ６５）。
【０１４１】
ステップＳ６５において、右綴じ設定を受け付けたと判別した場合（Ｓ６５でＹＥＳ）、パネルＣＰＵ１０１は、図１４に示す第２のプレビュー表示の態様を選択し、この態様で画像をリアルタイムプレビュー表示し（Ｓ６７）、処理を終了する。一方、ステップＳ６５において、右綴じ設定を受け付けないと判別した場合（Ｓ６５でＮＯ）、パネルＣＰＵ１０１は、上綴じ設定を受け付けたと判断する。この場合パネルＣＰＵ１０１は、図１５に示す第２のプレビュー表示の態様を選択し、この態様で画像をリアルタイムプレビュー表示し（Ｓ６９）、処理を終了する。
【０１４２】
［第４の実施の形態］
本実施の形態では、第１〜第３の実施の形態で説明したいずれかの態様を選択して、読み取った原稿の画像をリアルタイムプレビュー表示した後で、ＭＦＰ１は、選択した態様の情報をＨＤＤ１５５などに保存する。そして、リアルタイムプレビュー表示後（原稿の全ページを読み込み完了後）に、読み込んだ原稿の画像をプレビュー表示する場合に、ＭＦＰ１は、保存した情報に基づいて、画像を１つずつ読み取り順にプレビュー表示するか、あるいは複数枚で操作パネル２の一画面にプレビュー表示するかを決定する。ＭＦＰ１の構成などについては第１の実施の形態と同様であるので、その説明は繰り返さない。以下、本実施の形態における操作パネル２の動作について説明する。
【０１４３】
図１７は、本発明の第４の実施の形態におけるＨＤＤ１５５への保存時の操作パネル２の動作を示すフローチャートである。
【０１４４】
図１７を参照して、たとえばリアルタイムプレビュー表示が終了した場合などに、パネルＣＰＵ１０１は、操作パネル２が行ったリアルタイムプレビュー表示の態様（第１のプレビュー表示の態様または第２のプレビュー表示の態様）の情報を取得する（Ｓ８１）。次にパネルＣＰＵ１０１は、リアルタイムプレビュー表示した画像データをＨＤＤ１５５へ保存する指示（ＨＤＤへの保存実施）を受け付ける（Ｓ８３）。次にパネルＣＰＵ１０１は、操作パネル２が行ったリアルタイムプレビュー表示の態様が第１のプレビュー表示の態様であったか否かを判別する（Ｓ８５）。
【０１４５】
ステップＳ８５において、第１のプレビュー表示の形態であったと判別した場合（Ｓ８５でＹＥＳ）、パネルＣＰＵ１０１は、第１のプレビュー表示の態様（１枚ずつ画像をプレビュー表示する態様）の情報を、画像データとともにＨＤＤ１５５へ保存し（Ｓ８７）、処理を終了する。一方、第１のプレビュー表示の形態でなかったと判別した場合（Ｓ８５でＮＯ）、パネルＣＰＵ１０１は、第２のプレビュー表示の態様（複数枚の画像をプレビュー表示する態様）の情報を、画像データとともにＨＤＤ１５５へ保存し（Ｓ８９）、処理を終了する。
【０１４６】
図１８は、本発明の第４の実施の形態におけるＨＤＤ１５５からの読み出し時の操作パネル２の動作を示すフローチャートである。
【０１４７】
図１８を参照して、たとえばＨＤＤ１５５に保存した画像データをプレビュー表示する指示を操作パネル２が受け付けた場合、パネルＣＰＵ１０１は、ＨＤＤ１５５から画像データの読み出しを実施し（Ｓ９１）、ＨＤＤ１５５からリアルタイムプレビュー表示の態様の情報の読み出しを実行する（Ｓ９３）。次にパネルＣＰＵ１０１は、読み出したリアルタイムプレビュー表示の態様が第１のプレビュー表示の態様であるか否かを判別する（Ｓ９５）。
【０１４８】
ステップＳ９５において、第１のプレビュー表示の態様であると判別した場合（Ｓ９５でＹＥＳ）、パネルＣＰＵ１０１は、操作パネル２の一画面に１枚ずつ画像を表示するモードでプレビュー表示を実施し（Ｓ９７）、処理を終了する。一方、ステップＳ９５において、第２のプレビュー表示の態様であると判別した場合（Ｓ９５でＮＯ）、パネルＣＰＵ１０１は、操作パネル２の一画面に複数枚の画像を表示するモードでプレビュー表示を実施し（Ｓ９９）、処理を終了する。
【０１４９】
上述のように、リアルタイムプレビュー表示の態様をＨＤＤ１５５などに保存し、プレビュー表示する場合にＨＤＤ１５５から読み出して、１枚ずつ読み取り順にプレビュー表示するか、複数のページの画像をプレビュー表示するかを決定することで、原稿の全ページの読み込みが完了後した後で、仕上り状態を再度確認するプレビュー表示を行う場合に、ユーザーが望む態様（モード）でのプレビュー表示が可能となる。
【０１５０】
［実施の形態の効果］
上述の実施の形態においては、操作パネルは、ＭＦＰで受け付けた出力モードの設定に基づいて、表示の態様を自動的に切り替えて、リアルタイムプレビュー表示する。これにより、第１のプレビュー表示の態様を採用した場合には、不必要な情報が表示されることを回避することができ、ＭＦＰ（機器）の表示負荷（負荷率）を軽減することができる。また第２のプレビュー表示の態様を採用した場合には、他のページとの関連性とともに、特定のページ（ユーザーが確認したいページ）を拡大して（注目して）表示することができる。その結果、リアルタイムプレビュー表示をユーザーが視認しやすいものとすることができ、ユーザーは設定した出力モードが反映された仕上がり状態を容易に把握することができる。
【０１５１】
第２および第３の実施の形態によれば、設定された出力モードの種類に応じて、プレビュー表示される複数の画像の表示の態様を切り替えることにより、ユーザーは出力モードに適した表示の態様で、読み込んだ原稿の画像の仕上りを確認することができる。
【０１５２】
第２の実施の形態によれば、後処理モードが設定された場合に、複数の画像とともに後処理を施す位置を表示することにより、ユーザーは用紙の表裏における後処理が施される位置と、原稿の出力状態とを瞬時に確認することが可能となる。
【０１５３】
第３の実施の形態によれば、綴じ位置が設定された場合に、綴じ位置に応じてプレビュー表示する複数の画像の流れ方向を自動的に切り替えるので、ユーザーは綴じた用紙を見開く感覚で仕上り状態を確認することが可能となる。
【０１５４】
［その他］
第１〜第３の実施の形態では、操作パネル２が受け付けた出力モードの設定に基づいて、第１のプレビュー表示の態様と第２のプレビュー表示との間でリアルタイムプレビュー表示の態様を決定する場合について示したが、リアルタイムプレビュー表示の態様は、ユーザーが手動にて設定可能であってもよい。この場合には、ユーザーの利便性を向上することができる。以下、ユーザーにより設定された表示の態様に基づいてリアルタイムプレビュー表示の態様を決定する変形例について説明する。
【０１５５】
図１９は、本発明の変形例における操作パネル２の動作を示すフローチャートである。
【０１５６】
図１９を参照して、パネルＣＰＵ１０１は、綴じ位置（出力綴じ方向）などの出力モードの設定を受け付け（Ｓ１１１）、スタートキー１５の押下を受け付けると、リアルタイムプレビュー表示の態様の設定をたとえば一定時間受け付ける（Ｓ１１３）。次にパネルＣＰＵ１０１は、リアルタイムプレビュー表示の態様の設定をユーザーから受け付けたか否かを判別する（Ｓ１１５）。
【０１５７】
ステップＳ１１５において、リアルタイムプレビュー表示の態様の設定を受け付けないと判別した場合（Ｓ１１５でＮＯ）、パネルＣＰＵ１０１は、設定された出力モードに応じてリアルタイムプレビュー表示の態様を切り替えて（選択して）、リアルタイムプレビュー表示を行い（Ｓ１１７）、処理を終了する。一方、ステップＳ１１５において、リアルタイムプレビュー表示の態様の設定を受け付けたと判別した場合（Ｓ１１５でＹＥＳ）、パネルＣＰＵ１０１は、ユーザーが設定した態様（モード）でリアルタイムプレビュー表示を行い（Ｓ１１９）、処理を終了する。
【０１５８】
第２の実施の形態では、パンチ設定、ステープル設定、折り設定、および綴じしろ設定をそれぞれ単独で受け付けた場合のリアルタイムプレビュー表示の態様について示したが、これらの後処理モードのうち複数の設定を受け付けた場合には、図９〜図１２の態様を組合せてもよい。たとえばパンチ設定と綴じしろ設定とを受け付けた場合には、図９の態様と図１２の態様とを組合せて、パンチ位置を示すマークと綴じしろ位置とをプレビュー画像内に表示してもよい。
【０１５９】
上述の実施の形態は適宜組み合わせることができる。たとえば、第３の実施の形態と第４の実施の形態とを組み合わせて、綴じ位置の設定に応じて決定したプレビュー表示する複数の画像の流れ方向をＨＤＤ１５５などに保存し、読み込んだ原稿の画像をプレビュー表示する場合には、保存した流れ方向に複数の画像が流れるようにプレビュー表示を行ってもよい。また、第２の実施の形態と第４の実施の形態とを組み合わせて、後処理が施される位置を流れ方向をＨＤＤ１５５などに保存し、読み込んだ原稿の画像をプレビュー表示する場合には、保存した後処理が施される位置に所定の記号を付してプレビュー表示を行ってもよい。
【０１６０】
上述の実施の形態における処理は、ソフトウェアにより行なっても、ハードウェア回路を用いて行なってもよい。また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザーに提供することにしてもよい。プログラムは、ＣＰＵなどのコンピュータにより実行される。また、プログラムはインターネットなどの通信回線を介して、装置にダウンロードするようにしてもよい。
【０１６１】
上述の実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１６２】
１  ＭＦＰ
２  操作パネル
１１  ＬＣＤパネル部
１３  プレビューキー
１５  スタートキー
１７  ジョブ選択キー
３１，３２  キー
３３  枠
３５ａ〜３５ｄ，３６ａ〜３６ｄ，５０１，５０２  マーク
３７ａ，３７ｂ  点線
３８ａ〜３８ｄ  線
９１  給紙部
９３  排紙トレイ
１０１  パネルＣＰＵ
１０２，１５１  ＲＯＭ
１０３，１５３  ＲＡＭ
１０４  ＬＣＤ制御部
１０５  ＶＲＡＭ
１０８  ハードキー操作部
１１１  入出力制御部
１３１  ＭＦＰ本体システム制御部
１３３  画像読取部
１３３ａ  給紙トレイ
１３５  画像処理部
１３７  画像形成部
１３９  画像出力部
１４１  ファクシミリ制御部
１４３  ネットワーク接続部
１５５  ＨＤＤ
１５７  後処理部
【図１】
0005978562.tif 000002
【図２】
0005978562.tif 000003
【図３】
0005978562.tif 000004
【図４】
0005978562.tif 000005
【図５】
0005978562.tif 000006
【図６】
0005978562.tif 000007
【図７】
0005978562.tif 000008
【図８】
0005978562.tif 000009
【図９】
0005978562.tif 000010
【図１０】
0005978562.tif 000011
【図１１】
0005978562.tif 000012
【図１２】
0005978562.tif 000013
【図１３】
0005978562.tif 000014
【図１４】
0005978562.tif 000015
【図１５】
0005978562.tif 000016
【図１６】
0005978562.tif 000017
【図１７】
0005978562.tif 000018
【図１８】
0005978562.tif 000019
【図１９】
0005978562.tif 000020
【図２０】
0005978562.tif 000021